(57)【要約】【課題】パウチの外部に突出する電極タブの位置を容易に調節できるパウチ型リチウム二次電池を提供すること。【解決手段】本発明は、電極組立体１１０と、電極組立体１１０が収容されるパウチ１２０と、電極組立体１１０の二つの電極タブ１１４，１１５のいずれか一つの電極タブと電気的に接続され、他の一つの電極タブと平行にパウチ１２０の外部に引き出される可変タブ１３０と、を含み、可変タブ１３０が電気的に接続される電極タブに対して位置調節が可能であることから、パウチ１２０の外部に突出する電極タブの位置を組立工程中に容易に調節でき、特に大面積を有する電池において電池パックの設計自由度を向上させることにより、消費者の要求に速かに対応することができる。【選択図】図３
2010161066.tif 000002
【特許請求の範囲】
【請求項１】
電極組立体と、
前記電極組立体が収容されるパウチと、
前記電極組立体の二つの電極タブのいずれか一つの電極タブと電気的に接続され、他の一つの電極タブと平行に前記パウチの外部に引き出される可変タブとを含むことを特徴とする、パウチ型リチウム二次電池。
【請求項２】
前記可変タブは、胴体部と、前記胴体部の端部が折り曲げられて形成されたバンディング部とを含むことを特徴とする、請求項１に記載のパウチ型リチウム二次電池。
【請求項３】
前記可変タブに嵌挿される電極タブは、端部が直角に折り曲げられたタブ嵌挿部を含むことを特徴とする、請求項２に記載のパウチ型リチウム二次電池。
【請求項４】
前記可変タブのバンディング部に前記電極タブのタブ嵌挿部が挿入され、前記可変タブと前記電極タブとが結合することを特徴とする、請求項３に記載のパウチ型リチウム二次電池。
【請求項５】
前記可変タブのバンディング部と前記電極タブのタブ嵌挿部とが溶接されることを特徴とする、請求項４に記載のパウチ型リチウム二次電池。
【請求項６】
前記電極タブのタブ嵌挿部は、前記パウチの前面シーリング部と平行に位置することを特徴とする、請求項３に記載のパウチ型リチウム二次電池。
【請求項７】
前記可変タブのバンディング部とこれに嵌挿される電極タブは、前記パウチの前面シーリング内に位置することを特徴とする、請求項２に記載のパウチ型リチウム二次電池。
【請求項８】
前記可変タブは、胴体部と、前記胴体部の一部が直角に折り曲げられた折り曲げ部とを含むことを特徴とする、請求項１に記載のパウチ型リチウム二次電池。
【請求項９】
前記可変タブが嵌挿される電極タブは、端部が折り曲げられて形成されたバンディング部を含むことを特徴とする、請求項８に記載のパウチ型リチウム二次電池。
【請求項１０】
前記電極タブのバンディング部に前記可変タブの折り曲げ部が挿入され、前記可変タブと前記電極タブとが結合することを特徴とする、請求項９に記載のパウチ型リチウム二次電池。
【請求項１１】
前記可変タブの折り曲げ部と前記電極タブのバンディング部とが溶接されることを特徴とする、請求項１０に記載のパウチ型リチウム二次電池。
【請求項１２】
前記可変タブの折り曲げ部は、前記パウチの前面シーリング部と平行に位置することを特徴とする、請求項８に記載のパウチ型リチウム二次電池。
【請求項１３】
前記可変タブの折り曲げ部とそれが嵌挿される電極タブは、前記パウチの前面シーリング部内に位置することを特徴とする、請求項８に記載のパウチ型リチウム二次電池。 
【請求項１４】
前記可変タブは、材質が前記電極タブと同一の材質であることを特徴とする、請求項１に記載のパウチ型リチウム二次電池。
【請求項１５】
前記可変タブは、電気的な伝導性を有する材質であることを特徴とする、請求項１に記載のパウチ型リチウム二次電池。
【請求項１６】
前記可変タブは、前記電極組立体の外周部に設けられた電極タブに接続されることを特徴とする、請求項１に記載のパウチ型リチウム二次電池。
【請求項１７】
前記可変タブが接続される電極タブは、正極タブであることを特徴とする、請求項１に記載のパウチ型リチウム二次電池。
【発明の詳細な説明】
【技術分野】
【０００１】
本発明は、パウチ型リチウム二次電池に関し、より詳しくは、電極タブの位置調節に適したパウチ型リチウム二次電池(Ｐｏｕｃｈ
Ｔｙｐｅ Ｌｉｔｈｉｕｍ Ｓｅｃｏｎｄａｒｙ ｂａｔｔｅｒｙ)に関するものである。
【背景技術】
【０００２】
近年、ビデオカメラ、携帯電話、ノート型パソコン、携帯用個人情報端末機(ＰＤＡ)等の携帯用無線機器や電動工具などは、製品の軽量化および高機能化が進められている。これに伴い、これら製品の駆動電源として用いられる電池の重要性が増大し、これにより電池についての多くの研究が行われている。
【０００３】
特に、再充電が可能なリチウム二次電池は、リチウム原子の軽量特性によって既存の鉛蓄電池、ニッケル-カドミウム電池、ニッケル-水素電池、ニッケル-亜鉛電池などに比べ、単位重量当たりのエネルギー密度が高く、急速充電が可能であるため、これについての研究開発が活発に進められてきている。
【０００４】
一般に、リチウム二次電池は、リチウムと水分との反応性のために非水性電解質を用いる。この電解質は、リチウム塩を含有する固体ポリマーであるか、或いはリチウム塩が有機溶媒で解離した液状であり得る。リチウム塩が溶解される溶液は、例えば、エチレンカーボネート、プロピレンカーボネート又は他のアルキル基含有のカーボネートやそれと類似した有機化合物であり、５０℃ 以上の沸騰点と実温で非常に低い蒸気圧を有する。
【０００５】
リチウム二次電池は、電解質の種類に応じて液体電解質を使用するリチウム金属電池とリチウムイオン電池、そして高分子固体電解質を使用するリチウムイオンポリマー電池に分けられる。
【０００６】
リチウムイオンポリマー電池は、金属箔と該箔を覆う一つ以上のポリマー膜で構成された多層膜パウチをリチウムイオン電池の金属缶の代わりに用いることができる。このように多層膜パウチを用いると、金属缶を用いる場合より重さを顕著に低減することができるという利点がある。このように、多層膜パウチにおいて箔を構成する金属としては通常アルミニウムが用いられる。又、パウチ膜の内層を構成するポリマー膜は、電解質から金属箔を保護すると共に正極と負極、そして電極タブ間の短絡を防止する。この多層膜パウチを用いるリチウム二次電池を通常的にパウチ型リチウム二次電池と呼んでいる。
【０００７】
パウチ型リチウム二次電池を形成するためには、先ず、正極、セパレータ、負極を積層し、又は積層後巻回してなる電極組立体をパウチ内に位置させる。そして、パウチにおける開放された縁部に上下のパウチ膜を加熱して融着させると密封されたパウチ形態のベアセル(Ｂａｒｅ ｃｅｌｌ)電池が製造される。
【０００８】
そして、このようにベアセル電池に、保護回路基板(ＰＣＭ:Ｐｒｏｔｅｃｔｉｎｇ Ｃｉｒｃｕｉｔ Ｍｕｄｕｌｅ)や、ＰＴＣ(Ｐｏｓｉｔｉｖｅ Ｔｅｍｐｅａｔｕｒｅ Ｃｏｅｆｆｉｃｉｅｎｔ)のような付属品或いは構造体が装着されてコアパック(Ｃｏｒｅ Ｐａｃｋ)電池が形成される。
【０００９】
このようなコアパック電池をハードケース内に収納させることにより、完成されたハードパック電池が提供される。
【００１０】
このように、従来のパウチ型リチウム二次電池は、パウチの形状がほぼ四角形状に形成され、パウチの外部に電極組立体と接続された第１電極タブおよび第２電極タブが引き出される。この時、前記第１電極タブと第２電極タブとは、常に一定の間隔を有して電極組立体に設けられて製造される。 
【発明の概要】
【発明が解決しようとする課題】
【００１１】
しかしながら、近年、パウチ型リチウム二次電池によって製造される電池パックは、電子機器の種類に応じて、前記第１電極タブと第２電極タブとの間隔が異なる。このため、電子機器の種類に応じて、第１電極タブと第２電極タブとの間隔を設定しなければならない。
【００１２】
従って、パウチ型リチウム二次電池の製造時において、電池が適用される電池パックの設計条件により電池の製造工程を変更しなければならないという問題がある。
【００１３】
そこで、本発明は、上記問題に鑑みてなされたものであり、本発明の目的とするところは、パウチの外部に突出する電極タブの位置を容易に調節することが可能な、新規かつ改良されたパウチ型リチウム二次電池を提供することにある。
【００１４】
また、本発明の他の目的は、電池パックの設計自由度を向上することが可能な、新規かつ改良されたパウチ型リチウム二次電池を提供することにある。
【課題を解決するための手段】
【００１５】
上記課題を解決するために、本発明のある観点によれば、電極組立体と、前記電極組立体が収容されるパウチと、前記電極組立体の二つの電極タブのいずれか一つの電極タブと電気的に接続され、他の一つの電極タブと平行に前記パウチの外部に引き出される可変タブとを含むパウチ型リチウム二次電池が提供される。
【００１６】
また、前記可変タブは、胴体部と、前記胴体部の端部が折り曲げられて形成されたバンディング部とを含むものであってもよい。
【００１７】
また、前記可変タブに嵌挿される電極タブは、端部が直角に折り曲げられたタブ嵌挿部を含むものであってもよい。
【００１８】
また、前記可変タブのバンディング部に前記電極タブのタブ嵌挿部が挿入され、前記可変タブと前記電極タブとが結合するものであってもよい。
【００１９】
また、前記可変タブのバンディング部と前記電極タブのタブ嵌挿部とは溶接されるものであってもよい。
【００２０】
また、前記電極タブのタブ嵌挿部は、前記パウチの前面シーリング部と平行に位置するものであってもよい。
【００２１】
また、前記可変タブのバンディング部とそれに嵌挿される電極タブは、前記パウチの前面シーリング内に位置するものであってもよい。
【００２２】
また、前記可変タブは、胴体部と、前記胴体部の一部が直角に折り曲げられた折り曲げ部とを含むものであってもよい。
【００２３】
また、前記可変タブが嵌挿される電極タブは、端部が折り曲げられて形成されたバンディング部を含むものであってもよい。
【００２４】
また、前記電極タブのバンディング部に前記可変タブの折り曲げ部が挿入され、前記可変タブと前記電極タブとが結合するものであってもよい。
【００２５】
また、前記可変タブの折り曲げ部と前記電極タブのバンディング部とは溶接されるものであってもよい。
【００２６】
また、前記可変タブの折り曲げ部は前記パウチの前面シーリング部と平行に位置するものであってもよい。
【００２７】
また、前記可変タブの折り曲げ部とそれが嵌挿される電極タブは、前記パウチの前面シーリング部内に位置するものであってもよい。
【００２８】
また、前記可変タブは、材質が前記電極タブと同一の材質であるか、又は電気的な伝導性を有する材質であってもよい。
【００２９】
また、前記可変タブは、前記電極組立体の外周部に設けられた電極タブに接続されるものであってもよい。
【００３０】
また、前記可変タブが接続される電極タブは正極タブであってもよい。
【発明の効果】
【００３１】
本発明によれば、パウチの外部に突出する電極タブの位置を組立工程中に容易に調節することが可能となる。また、本発明によれば、特に、大面積を有する電池において電池パックの設計自由度を向上させることにより、消費者の要求に速かに対応することができる。
【図面の簡単な説明】
【００３２】
【図１】本発明の一実施形態に係るパウチ型リチウム二次電池の分解斜視図である。
【図２】図１におけるパウチの内部に電極組立体を挿入した状態の斜視図である。
【図３】図２におけるパウチを組み立てた後の正面図である。
【図４】本発明の他の実施形態に係るパウチ型リチウム二次電池の分解斜視図である。
【図５】図４におけるパウチの内部に電極組立体を挿入した状態の斜視図である。
【図６】図４におけるパウチを組み立てた後の正面図である。
【発明を実施するための形態】
【００３３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３４】
図１は本発明の一実施形態に係るパウチ型リチウム二次電池の分解斜視図であり、図２は図１におけるパウチの内部に電極組立体を挿入した状態の斜視図であり、図３は図２におけるパウチを組み立てた後の正面図であり、図２におけるパウチをひっくり返した状態の正面図である。
【００３５】
図１〜図３に示すように、本発明の一実施形態に係るパウチ型リチウム二次電池１００は、電極組立体１１０と、前記電極組立体１１０が収容されるパウチ１２０と、前記電極組立体１１０の正極タブ１１４又は負極タブ１１５の少なくともいずれか一つのタブと電気的に接続される可変タブ１３０とを含む。
【００３６】
前記電極組立体１１０は、電極集電体の表面に電極活物質層が形成された正極板１１１と負極板１１２を形成し、正極板１１１と負極板１１２との間には有機電解液が含浸されたセパレータ１１３を位置させる。そして、正極板１１１とセパレータ１１３と負極板１１２を順次積層し、又は積層された状態で渦巻き状(Ｊｅｌｌｙ Ｒｏｌｌ)に巻回して電極組立体１１０を形成する。
【００３７】
前記電極組立体１１０の正極板１１１の一側には正極タブ１１４が設けられ、負極板１１２の一側には負極タブ１１５が設けられ、渦巻き状に巻回された電極組立体において正極タブ１１４と負極タブ１１５は一定の間隔で配置される。前記正極タブ１１４と負極タブ１１５は、電極組立体１１０が外部で電気的に接続されるように負極タブ１１５の一部がパウチ１２０の外部に突出する。そして、前記正極タブ１１４は前記可変タブ１３０が接続された状態でパウチ１２０に収容され、可変タブ１３０はパウチ１２０の外部に突出する。
【００３８】
前記正極タブ１１４および負極タブ１１５は、一般的に金属、例えばアルミニウム、銅またはニッケルで形成される。この時、前記正極タブ１１４は、アルミニウムまたはアルミニウム合金材質で形成され、前記負極タブ１１５は、ニッケルまたはニッケル合金材質で形成されることが望ましい。しかし、この正極タブまたは負極タブの材質を限定する必要はない。
【００３９】
前記パウチ１２０は、一般的に一体に形成される長方形のパウチ膜を一辺の長さ方向を基準に上部ケース１２１と、下部ケース１２２からなる。そして、前記下部ケース１２２は、プレス加工等によって前記電極組立体１１０が収容される溝（凹部）１２３を形成する。前記パウチ１２０の上部ケース１２１と下部ケース１２２を構成するパウチ膜は、通常、アルミニウム薄膜の上面と下面にナイロン、ポリプロピレンやポリエチレンなどの合成樹脂で覆われた積層構造を有するように形成される。また、パウチの内面は熱接着性樹脂からなる。したがって、前記上部ケース１２１と下部ケース１２２は、パウチ膜の内面にコーティングされた熱接着性樹脂が加熱および加圧によって相互融着して密封される。ここで説明の便宜上、上部ケース１２１と下部ケース１２２とのシーリング部位中の前面部位を前面シーリング部１２４とする。
【００４０】
前記可変タブ１３０は、前記正極タブ１１４または負極タブ１１５の中の少なくともいずれか一つの電極タブと電気的に接続される。前記可変タブ１３０は、前記電極組立体１１０の外周部に設けられた電極タブと接続されることが望ましい。
【００４１】
本発明の一実施形態では、電極組立体１１０の外周部に正極タブ１１４が正極板１１１に設けられており、前記可変タブ１３０は前記正極タブ１１４と接続されている。
【００４２】
前記可変タブ１３０は、胴体部１３１と、前記胴体部１３１の端部が折り曲げられて形成されたバンディング部１３２とを含んで形成される。そして前記正極タブ１１４には、端部が直角に折り曲げられたタブ嵌挿部１１４ａが形成される。
【００４３】
したがって、前記可変タブ１３０は、端部に形成されたバンディング部１３２に前記正極タブ１１４のタブ嵌挿部１１４ａが嵌挿される。すなわち、前記可変タブ１３０の胴体部１３１とバンディング部１３２との間に形成されたギャップに前記正極タブ１１４のタブ嵌挿部１１４ａが挿入されて結合される。
【００４４】
前記正極タブ１１４のタブ嵌挿部１１４ａはパウチ１２０の前面シーリング部１２４と平行に位置するように配設される。そして、前記タブ嵌挿部１１４ａは、前記可変タブ１３０が前面シーリング部１２４に対して左右方向に移動可能な長さで形成される。
【００４５】
前記可変タブ１３０は、材質が前記正極タブ１１４と同一材質で形成されるか、或いは電気的な伝導性を有する材質で形成される。
【００４６】
このような構成を有する本発明の一実施形態に係るパウチ型リチウム二次電池の機能を説明する。
【００４７】
正極板１１１と負極板１１２との間にセパレータ１１３を介した状態で巻回された電極組立体１１０をパウチ１２０の下部ケース１２２の溝１２３に挿入する。すると前記電極組立体１１０から正極タブ１１４および負極タブ１１５が下部ケース１２２の外部に引き出される。すなわち、前記正極タブ１１４は下部ケース１２２の前面シーリング部１２４に位置し、負極タブ１１５は前面シーリング部１２４の外部に突出した状態となる。
【００４８】
ここで前記正極タブ１１４のタブ嵌挿部１１４ａを前記可変タブ１３０に嵌挿する。すなわち、前記可変タブ１３０のバンディング部１３２に前記正極タブ１１４のタブ嵌挿部１１４ａが挟まれる。そして、可変タブ１３０を前記正極タブ１１４のタブ嵌挿部１１４ａに対してスライドさせる。この時、可変タブ１３０は、タブ嵌挿部１１４ａの長さだけ左右方向に位置移動が可能であるため、正極タブ１１４が電極組立体１１０から引き出された本来の位置に対して電池パックの設計条件や、または製造工程上の必要に応じて容易に位置を調節することができる。
【００４９】
このように、前記可変タブ１３０が前記正極タブ１１４のタブ嵌挿部１１４ａ上において位置が調節された後には、前記バンディング部１３２とタブ嵌挿部１１４ａとを溶接する。したがって、前記可変タブ１３０と正極タブ１１４とが電気的に接続され、さらに可変タブ１３０は正極タブ１１４に固定された状態となる。
【００５０】
そして、前記パウチ１２０の上部ケース１２１を前記下部ケース１２２に融着すると、可変タブ１３０はパウチ１２０の外部に引き出される。さらに負極タブ１１５もパウチ１２０の外部に引き出される。この時、前記前面シーリング部１２４を通じて引き出された前記正極タブ１１４と負極タブ１１５は、絶縁テープ１１６、１１７を貼着して正極タブ１１４と負極タブ１１５の相互短絡を防止する。
【００５１】
このように、組み立てが完了したパウチ型リチウム二次電池において、前記正極タブ１１４は可変タブ１３０が電気的に接続され、前記可変タブ１３０が正極タブ１１４としての役割を遂行するようになる。
【００５２】
次に、本発明の他の実施形態に係るパウチ型リチウム二次電池を説明する。図４は本発明の他の実施形態に係るパウチ型リチウム二次電池の分解斜視図であり、図５は図４におけるパウチの内部に電極組立体を挿入した状態の斜視図であり、図６は図５におけるパウチを組み立てた後の正面図であり、図５におけるパウチをひっくり返した状態の正面図である。
【００５３】
図４〜図６に示すように、本発明の他の実施形態に係るパウチ型リチウム二次電池２００は、電極組立体１１０と、前記電極組立体１１０が収容されるパウチ１２０と、前記電極組立体１１０の正極タブ２１４または負極タブ１１５の少なくともいずれか一つのタブと電気的に接続される可変タブ２３０とを含む。
【００５４】
ここで、電極組立体１１０、負極タブ１１５およびパウチ１２０は本発明の上述した一実施形態と同一の構成を有する。したがって同一の構成に対しては同一の符号を付与し、詳細な説明は省略する。
【００５５】
前記可変タブ２３０は、前記正極タブ２１４または負極タブ１１５の少なくともいずれか一つの電極タブと電気的に接続される。本発明の他の実施形態では、電極組立体１１０の外周部に設けられた正極タブ２１４に前記可変タブ２３０が嵌挿される。
【００５６】
前記可変タブ２３０は、胴体部２３１と、胴体部２３１に対して直角に折り曲げられた折り曲げ部２３２とを含む。そして前記正極タブ２１４は端部にバンディング部２１４ａが形成される。
【００５７】
前記可変タブ２３０は前記正極タブ２１４のバンディング部２１４ａに結合される。すなわち、前記可変タブ２３０は、前記正極タブ２１４のバンディング部２１４ａに折り曲げ部２３２が挿入されて結合される。前記可変タブ２３０の折り曲げ部２３２は、前記パウチの前面シーリング部１２４に平行な方向に長く位置するように設けられる。
【００５８】
前記可変タブ２３０は、材質が前記正極タブ２１４と同一材質で形成されるか、或いは電気的な伝導性を有する材質で形成される。この時、前記正極タブ２１４は、アルミニウムまたはアルミニウム合金材質で形成され、前記負極タブ１１５は、ニッケルまたはニッケル合金材質で形成されることが望ましい。しかし、この正極タブまたは負極タブの材質を限定する必要はない。
【００５９】
このように構成された本発明の他の実施形態に係るパウチ型リチウム二次電池の機能を説明する。
【００６０】
正極板１１１と負極板１１２との間にセパレータ１１３が介した状態で巻回された電極組立体１１０をパウチ１２０の下部ケース１２２の溝１２３の内部に挿入する。すると前記電極組立体１１０から正極タブ２１４および負極タブ１１５が下部ケース１２２の外部に引き出される。ここで前記正極タブ２１４は、下部ケース１２２の前面シーリング部１２４内に位置し、負極タブ１１５は前面シーリング部１２４の外部に突出した状態となる。
【００６１】
そして前記正極タブ２１４に前記可変タブ２３０を嵌挿する。すなわち、前記可変タブ２３０の折り曲げ部２３２が前記正極タブ２１４のバンディング部２１４ａに挿入される。この時、可変タブ２３０の折り曲げ部２３２は前記正極タブ２１４のバンディング部２１４ａにおいて移動可能である。これにより、前記正極タブ２１４のバンディング部２１４ａに可変タブ２３０の折り曲げ部２３２をスライドさせることにより、可変タブ２３０の胴体部２３１の位置を調節することができる。
【００６２】
すなわち、正極タブ２１４が電極組立体１１０から引き出された位置に対して前記可変タブ２３０の位置が容易に調節される。
【００６３】
このように前記可変タブ２３０が正極タブ２１４に対して位置が調節された後に、可変タブ２３０の折り曲げ部２３２と正極タブ２１４のバンディング部２１４ａとの溶接を行う。これにより、可変タブ２３０と正極タブ２１４とが電気的に接続されると共に、可変タブ２３０は正極タブ２１４に固定された状態を維持することができる。
【００６４】
そして、パウチ１２０の上部ケース１２１を下部ケース１２２と融着すると、可変タブ２３０と負極タブ１１５はパウチ１２０の外部に引き出された状態となる。この時、前記前面シーリング部１２４内に前記正極タブ２１４と可変タブ２３０の折り曲げ部２３２とが位置することになる。
【００６５】
このような正極タブ２１４と可変タブ２３０の折り曲げ部２３２および負極タブ１１５は、絶縁テープ１１６、１１７を貼着させることにより、相互短絡を防止することができる。
【００６６】
このように、組み立てが完了したパウチ型リチウム二次電池は、前記正極タブ２１４が可変タブ２３０と電気的に接続された状態であるため、前記可変タブ２３０は正極タブ２１４としての役割を遂行することになる。
【００６７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６８】
１００    一実施形態のパウチ型リチウム二次電池
１１０    電極組立体
１１１    正極板
１１２    負極板
１１３    セパレータ
１１４    正極タブ
１１４ａ    正極タブのタブ嵌挿部
１１５    負極タブ
１１６、１１７    絶縁テープ
１２０    パウチ
１２１、１２２    上、下部ケース
１２３    溝
１２４    前面シーリング部
１３０    可変タブ
１３１    可変タブの胴体部
１３２    可変タブのバンディング部
２００    他の実施形態のパウチ型リチウム二次電池
２１４    正極タブ
２１４ａ    正極タブのバンディング部
２３０    可変タブ
２３１    可変タブの胴体部
２３２    可変タブの折り曲げ部
【図１】
2010161066.tif 000003
【図２】
2010161066.tif 000004
【図３】
2010161066.tif 000005
【図４】
2010161066.tif 000006
【図５】
2010161066.tif 000007
【図６】
2010161066.tif 000008